(57)【特許請求の範囲】
【請求項１】
下面に吸込口となる本体開口部を設け、側部に排気口を形成し、内部に送風機を設けた天井に設置される換気装置において、前記本体開口部に、室内と連通する吸込開口部を有する前記本体開口部を覆う化粧パネルと、前記化粧パネルの通風下流に配置した第１のフィルターとを設け、前記化粧パネルの前記吸込開口部と前記フィルターとの間に空間を設け、この空間から前記第１のフィルターを介して前記換気装置内へ通風する第１フィルター通過風路と、前記空間から前記第１フィルターを介さずに前記換気装置内へ通風する非第１フィルター通過風路とを設け、前記非第１フィルター通過風路に第２のフィルターを備えたものであって、前記化粧パネルの中心に前記第１のフィルターを配設し、前記第１のフィルターの外周下流に前記第２のフィルターを配設することを特徴とする換気装置用ルーバー。
【請求項２】
下面に吸込口となる本体開口部を設け、側部に排気口を形成し、内部に送風機を設けた天井に設置される換気装置において、前記本体開口部に、室内と連通する吸込開口部を有する前記本体開口部を覆う化粧パネルと、前記化粧パネルの通風下流に配置した第１のフィルターとを設け、前記化粧パネルの前記吸込開口部と前記フィルターとの間に空間を設け、この空間から前記第１のフィルターを介して前記換気装置内へ通風する第１フィルター通過風路と、前記空間から前記第１フィルターを介さずに前記換気装置内へ通風する非第１フィルター通過風路とを設け、前記第１のフィルターは前記本体開口部の面積よりも小さく、前記非第１フィルター通過風路に第２のフィルターを備えたものであって、前記化粧パネルの中心に前記第１のフィルターを配設し、前記第１のフィルターの外周下流に前記第２のフィルターを配設することを特徴とする換気装置用ルーバー。
【請求項３】
化粧パネルの吸込開口部に複数のルーバー格子を設け、第１のフィルターおよび第２のフィルターをそれぞれ複数のフィルター格子から形成し、前記複数のルーバー格子と前記複数のフィルター格子の方向と間隔とを一致させることを特徴とする請求項１または２に記載の換気装置用ルーバー。
【請求項４】
第１および第２のフィルターを化粧パネルの内部に配設することを特徴とする請求項１〜３のいずれか一つに記載の換気装置用ルーバー。
【請求項５】
第１および第２のフィルターの色を、黒もしくは暗色系で構成することを特徴とする請求項１または２に記載の換気装置用ルーバー。
【請求項６】
化粧パネルに、帯電を防止するコーティングを塗布することを特徴とする請求項１〜５のいずれか一つに記載の換気装置用ルーバー。
【請求項７】
化粧パネルに、帯電防止材を混入することを特徴とする請求項１〜６のいずれか一つに記載の換気装置用ルーバー。
【請求項８】
第１および第２のフィルターは、化粧パネルから着脱可能であることを特徴とする請求項１〜７のいずれか一つに記載の換気装置用ルーバー。
【請求項９】
第１および第２のフィルターは、樹脂の一体成形により構成されていることを特徴とする請求項１〜８のいずれか一つに記載の換気装置用ルーバー。
【発明の詳細な説明】
【技術分野】
【０００１】
本発明は、天井等に設置されて換気を行う換気装置に設けられるルーバーに関する。
【背景技術】
【０００２】
従来この種の換気装置用ルーバーとしては、ばね係合部材を本体内部のケーシングに設けて、ルーバーに取り付けられているばねをばね係合部材に取り付け、換気装置本体の底面にルーバーを取り付け、ルーバー中央部には室内側の開口に埃等を補修するフィルターを備えた換気装置用ルーバーが知られている  （例えば、特許文献１参照）。
【０００３】
以下、その換気装置用ルーバーについて図４及び図５を参照しながら説明する。
【０００４】
図４に示すように、底面に吸込口１０１を有し、側面に通風口１０２を設け、上部にモーター１０３及びモーター保持板１０４、内部に羽根１０５、ケーシング１０６を収納した箱状の換気装置１０７と、通風口１０２に連通する換気装置１０７側の接続口１０８およびダクト１０９と連通するダクト１０９側の接続口１１０を一体に設け、天井１１１に設けた本体開口１１２を覆うように装着されるルーバー１１３と、このルーバー１１３を装着するために、ルーバー１１３の裏側に設けられた２股状で先端が環状の線ばね１１４を、図５に示すように２箇所有し、ばね係合部材１１５に係合させて取り付ける構造となっている。
【０００５】
さらにこのルーバーの室内側の開口は埃等を捕集するフィルター１１６により覆われている。
【先行技術文献】
【特許文献】
【０００６】
【特許文献１】特開２０００−５５４３４号公報
【発明の概要】
【発明が解決しようとする課題】
【０００７】
このような従来の換気装置用ルーバーは、フィルターで埃等を捕集することができるが、天井という高所に設置されているためメンテナンスがあまりされなく、フィルターが目詰まりしやすくなっている。そして、フィルターが目詰まりした状態で運転されると、ルーバーと天井との隙間から風を吸い込む為天井面が汚れるという課題があった。
【０００８】
本発明は、このような従来の課題を解決するものであり、高所に設置された換気装置用ルーバーのフィルターのメンテナンスをあまりしなくても、天井面が汚れることを防止することができる換気装置用ルーバーを提供することを目的とする。
【課題を解決するための手段】
【０００９】
本発明の換気装置用ルーバーは上記目的を達成するために下面に吸込口となる本体開口部を設け、側部に排気口を形成し、内部に送風機を設けた天井に設置される換気装置において、前記本体開口部に、室内と連通する吸込開口部を有する前記本体開口部を覆う化粧パネルと、前記化粧パネルの通風下流に配置した第１のフィルターとを設け、前記化粧パネルの前記吸込開口部と前記フィルターとの間に空間を設け、この空間から前記第１のフィルターを介して前記換気装置内へ通風する第１フィルター通過風路と、前記空間から前記第１のフィルターを介さずに前記換気装置内へ通風する非第１フィルター通過風路とを設けたものである。
【発明の効果】
【００１０】
下面に吸込口となる本体開口部を設け、側部に排気口を形成し、内部に送風機を設けた天井に設置される換気装置において、前記本体開口部に、室内と連通する吸込開口部を有する前記本体開口部を覆う化粧パネルと、前記化粧パネルの通風下流に配置した第１のフィルターとを設け、前記化粧パネルの前記吸込開口部と前記フィルターとの間に空間を設け、この空間から前記第１のフィルターを介して前記換気装置内へ通風する第１フィルター通過風路と、前記空間から前記第１のフィルターを介さずに前記換気装置内へ通風する非第１フィルター通過風路とを設けたことより、高所に設置された換気装置用ルーバーのフィルターのメンテナンスをあまりしなくても、天井面が汚れることを防止することができるという効果を得ることができる。
【図面の簡単な説明】
【００１１】
【図１】本発明の実施の形態１の換気装置を示す断面図
【図２】同換気装置のルーバーを示す斜視図
【図３】同換気装置のルーバーを示す断面図
【図４】従来の換気装置を示す断面図
【図５】同換気装置のルーバーを示す斜視図
【発明を実施するための形態】
【００１２】
本発明の換気装置用ルーバーは、下面に吸込口となる本体開口部を設け、側部に排気口を形成し、内部に送風機を設けた天井に設置される換気装置において、前記本体開口部に、室内と連通する吸込開口部を有する前記本体開口部を覆う前記化粧パネルと、前記化粧パネルの通風下流に配置した第１のフィルターとを設け、前記化粧パネルの前記吸込開口部と前記フィルターとの間に空間を設け、この空間から前記第１のフィルターを介して前記換気装置内へ通風する第１フィルター通過風路と、前記空間から前記第１のフィルターを介さずに前記換気装置内へ通風する非第１フィルター通過風路とを設けた構成を有する。
【００１３】
これにより、第１のフィルターが目詰まりを起こしていないときは、前記化粧パネルの吸込開口部から吸い込まれた空気が、この空間から前記第１のフィルターを介して前記換気装置内へ通風する第１フィルター通過風路を通過することで第１のフィルターにより大きな塵やゴミは取り除かれて、前記送風機が汚れるのを防ぐことができる。また長期に使用して第１のフィルターが目詰まりを起こしたときに、前記第１のフィルターで覆われた部分の圧損が大きくなっても、前記化粧パネルの吸込開口部と前記第１のフィルターとの間に空間を設け、この空間から前記第１のフィルターを介さずに前記換気装置内へ通風する非第１フィルター通過風路を設けたたことより、前記化粧パネルの吸込開口部と前記本体開口部間に第１のフィルターを通過しない空気の流路を形成することができるので、天井面に埃が付着して汚れるのを防止できる。
【００１４】
すなわち、化粧パネルの吸込開口部と前記本体開口部間に第１のフィルターを通過しない非第１フィルター通過風路を備えていない場合に第１のフィルターが目詰まりすると、化粧パネルと天井との隙間から換気装置内に空気を吸い込むので、天井面に埃が付着しやすくなるが、本実施の形態１では、化粧パネルの吸込開口部と第１のフィルターとの間に空間を設け、この空間から前記第１のフィルターを介して前記換気装置内へ通風する第１フィルター通過風路と、前記空間から前記第１のフィルターを介さずに前記換気装置内へ通風する非第１フィルター通過風路とを設けているので、化粧パネルの吸込開口部と本体開口部間に第１のフィルターを通過しない空気の流路が形成される。これにより、化粧パネルの吸込開口部から本体開口部間に、第１のフィルターを通過することがなく圧力損失が少ない空気の流路、すなわち非第１フィルター通過風路を形成することができ、フィルターが目詰まりした場合には空気がこの非第１フィルター通過風路を通過できるので、高所に設置された前記換気装置用ルーバーの前記第１のフィルターのメンテナンスをあまりしなくても、天井面が汚れることを防止することができるという効果を奏する。
【００１５】
また前記第１のフィルターと化粧パネルの吸込開口部間に空間を設け、第１のフィルターを前記化粧パネルよりも風路下流側に設けることで、前記第１のフィルターが目詰まりをおこしても、室内から視認しにくくなり外観を損なうことのない効果を奏する。
【００１６】
また、第１のフィルターは本体開口部の面積よりも小さい構成にしてもよい。これにより圧力損失の少ない、前記第１のフィルターを通過することのない化粧パネルの開口から本体開口部までの空気の流路、すなわち非第１フィルター通過風路を効率良く形成することができ、前記第１のフィルターを高所に設置された前記換気装置用ルーバーの前記フィルターのメンテナンスをあまりしなくても、天井面が汚れることをより防ぐ効果を奏する。
【００１７】
また、フィルターを、非第１フィルター通過風路に第２のフィルターを備えた構成としてもよい。これにより、第１のフィルターが目詰まりを起こしても、第２のフィルターが埃を収集することとなるので、フィルターのメンテナンス期間を長くすることができるという効果を奏する。
【００１８】
さらに、化粧パネルの中心に第１のフィルターを配設し、前記第１のフィルターよりも送風機側、すなわち第１のフィルターの外周下流に第２のフィルターを配設する構成にしてもよい。これにより、第１のフィルターが目詰まりを起こしても、第２のフィルターが埃を収集することとなるので、フィルターのメンテナンス期間を長くすることができるという効果を奏する。
【００１９】
化粧パネルの吸込開口部に複数のルーバー格子を設け、さらに第１および第２のフィルターを複数のフィルター格子から形成し、化粧パネルの複数のルーバー格子と複数のフィルター格子の方向と間隔とを一致させる構成にしてもよい。これにより、前記化粧パネルの複数のルーバー格子と前記複数のフィルター格子との方向と間隔とが一致し、これら複数の格子の隙間から空気が吸い込まれることとなるので、風量を損なうことがなく、さらにデザイン性を向上することができるという効果を奏する。
【００２０】
また、第１および第２のフィルターを化粧パネルの内部に配設する構成にしてもよい。フィルターが化粧パネルからはみ出すことはないので、化粧パネルの吸込開口部側を下にして平面に置く際、フィルターが邪魔をすることなく、安定して置くことができるという効果を奏する。
【００２１】
また、第１および第２のフィルターの色を、黒もしくは暗色系で構成してもよい。これにより、天井に設置している状態で下方から見たときに、前記第１および第２のフィルターの色を黒もしくは暗色系とすることによってフィルターが視認しにくいこととなるので、デザイン性を向上することができるという効果を奏する。
【００２２】
また、化粧パネルに、帯電を防止するコーティングを塗布する構成にしてもよい。これにより、帯電を防止するコーティングにより、化粧パネルに帯電した埃が付着することを防ぐこととなるので、外観となる化粧パネルが汚れにくくなる効果を奏する。
【００２３】
また、化粧パネルに、帯電防止材を混入する構成にしてもよい。これにより、帯電防止材を混入した化粧パネルにより、化粧パネルに帯電した埃が付着することを防ぐこととなるので、後から加工することなく、外観となる化粧パネルが汚れにくくすることができるという効果を奏する。
【００２４】
また、第１および第２のフィルターを、化粧パネルから着脱可能である構成にしてもよい。これにより、化粧パネルからフィルターを取り外し水洗いし、終わったら、化粧パネルにフィルターを取り付けることとなるので、埃による風量低下を防止し、元の風量に回復させることができるという効果を奏する。
【００２５】
また、第１および第２のフィルターを、樹脂の一体成形により構成されている構成にしてもよい。これにより、フィルターの部品構成が、１つで構成することとなるので、低コスト化することができるという効果を奏する。
【００２６】
以下、本発明の実施の形態について、図面を参照しながら説明する。
【００２７】
（実施の形態１）
図１は、下面に吸込口となる本体開口部１を設け、側部に排気口２を形成し、内部に遠心送風羽根３及びモーター４からなる送風機５を設けた天井に設置される換気装置６において、換気装置用ルーバー６ａが設置された状態を示している。換気装置用ルーバー６ａは、本体開口部１に設けられ、室内に連通する吸込開口部７を有する化粧パネル８を備えている。化粧パネル８は、取付けばね９により換気装置６の本体開口部１を覆うように取り付けられている。そして、化粧パネル８の通風下流には第１のフィルター１０ａおよび第２のフィルター１０ｂを配置している。
【００２８】
化粧パネル８は、図１に示すように外周を立ち上げた皿状に形成し、換気装置６の本体開口部１下に配置し、本体開口部１を覆ったときに、換気装置６の本体開口部１と化粧パネル８との間に空間８ａを有する構成としている。第１のフィルター１０ａおよび第２のフィルター１０ｂは、化粧パネル８の内部に配置する構成としている。
【００２９】
そして、化粧パネル８には、空間８ａからの第１のフィルター１０ａを介して換気装置６内へ通風する第１フィルター通過風路８ｂと、空間８ａから前記第１のフィルター１０ａを介さずに換気装置６内へ通風する非第１フィルター通過風路８ｃとを設けている。
【００３０】
さらに、第１のフィルター１０ａの面積は、本体開口部１の開口面積より小さい構成としている。
【００３１】
これにより、空間８ａから第１のフィルター１０ａを介さずに換気装置６内へ通風する非第１フィルター通過風路８ｃが形成されている。そして、非第１フィルター通過風路８ｃに、第２のフィルター１０ｂを備える構成としている。
【００３２】
図２に示すように、第１のフィルター１０ａは化粧パネル８の中央に配置し、この第１のフィルター１０ａより外側かつ送風機側、すなわち第１のフィルター１０ａの外周下流に、第１のフィルター１０ａ外周を囲む環状の第２のフィルター１０ｂを設けている。すなわち、非第１フィルター通過風路８ｃに、第２のフィルター１０ｂを備える構成としている。
【００３３】
ここで、第１のフィルター１０ａは、化粧パネル８の吸込開口部７との間に空間８ａを設けるように、取付金具１２により化粧パネル８に着脱可能に取り付けられている。図３に示すように、化粧パネル８の吸込開口部７には複数のルーバー格子１３が設けられている。そして、第１のフィルター１０ａおよび第２のフィルター１０ｂはそれぞれ、複数のフィルター格子１４から形成されている。さらに、吸込開口部７の複数のルーバー格子１３と第１のフィルター１０ａ及び第２のフィルター１０ｂの複数のフィルター格子１４とはお互い、方向と間隔を一致させた構造としている。
【００３４】
さらに、第１のフィルター１０ａ及び第２のフィルター１０ｂはそれぞれ黒色の樹脂にて一体成形されている。一方化粧パネル８は帯電防止剤を混入した樹脂にて成形されている。
【００３５】
上記構成により天井面上に設置した換気装置６を運転すると、室内の空気が送風機５により化粧パネル８の吸込開口部７を介して化粧パネル８内に吸い込まれ、吸込開口部７より化粧パネル８に吸い込まれた空気は、吸込開口部７と第１のフィルター１０ａとの間に設けた空間８ａから、第１のフィルター１０ａを介して換気装置６内へ通風する第１フィルター通過風路８ｂを通過後、本体開口部１を介して換気装置６内に引き込まれた後、側部の排気口２から外部へ排出される。
【００３６】
このように、第１のフィルター１０ａが目詰まりを起こしていないときは、化粧パネル８の吸込開口部７から吸込まれた空気が第１のフィルター１０ａを通過することで大きな塵やゴミが取り除かれ、換気装置６内の送風機５が汚れるのを防ぐ。
【００３７】
一方、長期に使用して第１のフィルター１０ａが目詰まりを起こしたときは、化粧パネル８の吸込開口部７と第１のフィルター１０ａとの間に空間８ａを設け、空間８ａから第１のフィルター１０ａを介して換気装置６内へ通風する第１フィルター通過風路８ｂの他に、空間８ａから第１のフィルター１０ａを介さずに換気装置６内へ通風する非第１フィルター通過風路８ｃを設けているので、非第１フィルター通過風路８ｃにより、化粧パネル８の吸込開口部７と第１のフィルター１０ａとの間に設けた空間８ａと本体開口部１とが連通することとなる。
【００３８】
すなわち、吸込開口部７から換気装置６内に向かって第１のフィルター１０ａを通過しない非第１フィルター通過風路８ｃが形成されているので、第１のフィルター１０ａが目詰まりした場合には、圧力損失が少ない空気の通路、すなわち非第１フィルター通過風路８ｃを通過できるので、第１のフィルター１０ａの圧損が大きくなっても、化粧パネル８と天井との隙間から換気装置６内に空気を吸い込むことがなく、天井面が汚れることを防止できる。
【００３９】
そして、第１のフィルター１０ａを化粧パネル８の風路下流側に設け、吸込開口部７と第１のフィルター１０ａをとの間に空間を設けることで、第１のフィルター１０ａが目詰まりをおこしても、室内から視認しにくくなり外観を損なうことがない。
【００４０】
また、第１のフィルター１０ａの面積は、本体開口部１の面積よりも小さい構成としているので、化粧パネル８内の空間８ａから第１のフィルター１０ａを介さずに換気装置６内へ通風する非第１フィルター通過風路８ｃのスペースを十分に確保することができる。
【００４１】
また、非第１フィルター通過風路８ｃに第２のフィルター１０ｂを備えた構成としているので、第１のフィルター１０ａが目詰まりした場合には、非第１フィルター通過風路８ｃに備えた第２のフィルター１０ｂが、埃を収集することができる。
【００４２】
そして、第１のフィルター１０ａが目詰まりし、第１のフィルター１０ａで覆われた部分の圧損が大きくなっても、第１のフィルター１０ａの外周下流に第２のフィルター１０ｂを配設する構成としているので、吸込開口部７から吸込まれた空気は、吸込開口部７と第１のフィルター１０ａとの間の空間８ａを通過し、第１のフィルター１０ａの外周下流に配置されている第２のフィルター１０ｂへと吸込まれていく。このように、第２のフィルター１０ｂで覆われている部分から換気装置６内に吸込むことができるため、第１のフィルター１０ａのメンテナンス期間を長くすることができる。
【００４３】
すなわち、第１のフィルター１０ａが目詰まりを起こしても、第１のフィルター１０ａの外周側に圧力損失が少ない空気の通路が形成されるので、第１のフィルター１０ａよりも送風機側に配置した第２のフィルター１０ｂで覆われている部分から換気装置６内に吸込むこととなり、第２のフィルター１０ｂで埃を収集することができるめ、第１のフィルター１０ａのメンテナンス期間を長くすることができる。
【００４４】
したがって、第１のフィルター１０ａのメンテナンスをすぐに行わなくても、第１のフィルター１０ａと吸込開口部７との間に設けた空間８ａを空気が通過し、その後第１のフィルター１０ａとの外周下流に環状に配置した第２のフィルター１０ｂで空気を吸込むことができるので、第１のフィルター１０ａのメンテナンス期間を長くすることができる。
【００４５】
また、第１のフィルター１０ａと第２のフィルター１０ｂはそれぞれ、黒色の樹脂で一体成形され、皿状に形成した化粧パネル８内部に取付いており、化粧パネル８の吸込開口部７に設けた複数のルーバー格子１３と第１のフィルター１０ａおよび第２のフィルター１０ｂの複数のフィルター格子１４をお互い方向と間隔とを一致させていることで、圧損を極力小さくできるので、風量を損なうことがない。さらに、この構成により第１のフィルター１０ａおよび第２のフィルター１０ｂが視認しにくいデザインをコストが安く提供できる。
【００４６】
さらに帯電防止剤入りの樹脂で化粧パネル８を成形することで、化粧パネル８に埃が付着しにくくなる。
【００４７】
このように本発明の実施の形態１の換気装置用ルーバーによれば、吸込開口部７と第１のフィルター１０ａとの間に空間を設け、空間８ａから第１のフィルター１０ａを介して換気装置６内へ通風する第１フィルター通過風路８ｂの他に、空間８ａから第１のフィルター１０ａを介さずに換気装置６内へ通風する非第１フィルター通過風路８ｃを設けたことで、化粧パネル８の吸込開口部７と本体開口部１間に第１のフィルター１０ａを通過しない空気の流路、すなわち非第１フィルター通過風路８ｃを形成しているので、例え、第１のフィルター１０ａが詰まっても、天井と化粧パネル８との隙間から空気を吸い込むことがないので、天井を埃で汚すことがなく、換気を継続することができることとなり、この結果として、捕集力のよい、デザイン性の高いフィルタールーバーを提供できる。
【００４８】
なお、本実施の形態１では、化粧パネル８を帯電防止材入りの樹脂にて成形する構成としたが、化粧パネル８に帯電を防止するコーティングを施す構成に変更してよく、この構成の換気装置用ルーバーによっても、捕集力のよい、デザイン性の高いフィルタールーバーを提供できる。
【産業上の利用可能性】
【００４９】
本発明にかかる換気装置用ルーバーは、天井に取り付けられフィルターを搭載する空調装置に幅広く有用である。
【符号の説明】
【００５０】
１      本体開口部
２      排気口
３      遠心送風羽根
４      モーター
５      送風機
６      換気装置
６ａ    換気装置用ルーバー
７      吸込開口部
８      化粧パネル
８ａ    空間
８ｂ    第１フィルター通過風路
８ｃ    非第１フィルター通過風路
１０ａ  第１のフィルター
１０ｂ  第２のフィルター
１２    取付金具
１３    ルーバー格子
１４    フィルター格子
【図１】
0005609284.tif 000002
【図２】
0005609284.tif 000003
【図３】
0005609284.tif 000004
【図４】
0005609284.tif 000005
【図５】
0005609284.tif 000006